(57)【要約】      （修正有）【課題】一部分に防水容器が連結される通気構造を提供する。【解決手段】通気構造の片側における一部分のエリアに防水容器３が連結され、該防水容器の開口の周辺はシーリング２により通気構造と固定され、該防水容器の数量は一つ又は複数で、該防水容器の中に機能素子が取り付けられ、該機能素子は酸素供給ユニット、マイナス酸素イオン供給ユニット及び香料からなるグループから選択される。【選択図】図４
0003211010.tif 000002
【実用新案登録請求の範囲】
【請求項１】
通気構造の片側における一部分のエリアに少なくとも一つの防水容器が連結され、前記防水容器の開口の周辺は前記通気構造とシーリングにより固定され、前記防水容器の中に機能素子が取り付けられることを特徴とする、一部分に防水容器が連結される通気構造。
【請求項２】
前記機能素子は粉末、細粒、顆粒又は繊維状であることを特徴とする、請求項１に記載の通気構造。
【請求項３】
前記通気構造が前記防水容器と連結される片側は防水材質で覆われ、前記防水材質に穴が設けられ、水気や液体は前記穴から通り抜け、前記穴の数量は一つ又は複数であることを特徴とする、請求項１に記載の通気構造。
【請求項４】
前記通気構造は生理用ナプキン、パンティーライナー、産褥パッド、おむつ、絆創膏、創傷被覆材、遮眼帯、耳掛け、マスク、安全帽子パッキングに使用できることを特徴とする、請求項１に記載の通気構造。
【請求項５】
前記防水容器は前記通気構造が人体に接触し又は近寄る他の片側にあることを特徴とする、請求項１に記載の通気構造。
【請求項６】
前記機能素子は酸素供給ユニット、マイナス酸素イオン供給ユニット及び香料からなるグループから選択されることを特徴とする、請求項１に記載の通気構造。
【請求項７】
前記酸素供給ユニットは過酸化金属と超酸化金属からなるグループから選択されることを特徴とする、請求項６に記載の通気構造。
【請求項８】
前記過酸化金属は過酸化マグネシウム、過酸化カルシウム、過酸化ナトリウム、過酸化カリウム及び過酸化リチウムからなるグループから選択されることを特徴とする、請求項７に記載の通気構造。
【請求項９】
前記超酸化金属は超酸化マグネシウム、超酸化カルシウム、超酸化ナトリウム、超酸化カリウム及び超酸化リチウムからなるグループから選択されることを特徴とする、請求項７に記載の通気構造。
【請求項１０】
前記酸素供給ユニットはペルオキシダーゼと併用することができ、前記酸素供給ユニットと前記ペルオキシダーゼとの比は５０：１〜１０００：１であることを特徴とする、請求項６に記載の通気構造。
【請求項１１】
前記マイナス酸素イオン供給ユニットは電気石と併用し、過酸化金属及び超酸化金属からなるグループから選択されることを特徴とする、請求項６に記載の通気構造。
【請求項１２】
前記過酸化金属は過酸化マグネシウム、過酸化カルシウム、過酸化ナトリウム、過酸化カリウム及び過酸化リチウムからなるグループから選択されることを特徴とする、請求項１１に記載の通気構造。
【請求項１３】
前記超酸化金属は超酸化マグネシウム、超酸化カルシウム、超酸化ナトリウム、超酸化カリウム及び超酸化リチウムからなるグループから選択されることを特徴とする、請求項１１に記載の通気構造。
【考案の詳細な説明】
【技術分野】
【０００１】
本考案は一部分に防水容器が連結される通気構造に関し、防水容器の中に酸素供給ユニットやマイナス酸素イオン供給ユニットが設けられ、身体から生成する水気を活性化することにより小環境における酸素又はマイナス酸素イオンの濃度を増加する。
【背景技術】
【０００２】
生理用ナプキンは生理期間にいる女性に必要な消耗品で、身体の清潔を保持できるものであり、普通、生理用ナプキンが身体に接触する片側は通気層で、接触しない片側は防水層であるため、通気層と防水層との間に吸収性物品が備えられ、吸水機能を除き、他の機能も追加可能である。
【０００３】
中華民国特許（広報番号：I324060）は遠赤外線の複合ナプキン及びパンティーライナーを開示し、それは多層の複合構造であり、各層は上から下へ順次に網状面層、草花精華層、遠赤外線マイナスイオン層、漢方薬精華層、吸水層、防水層フィルム、接着剤層を含み、それぞれの層は接着されて固定的に連結される。
【０００４】
中華民国特許（広報番号：M345590）は生理用ナプキンの消臭改良構造を開示し、該構造は上表面層、ヒートシールカーディング層、エッセンス、高速浸透層、吸収層及び防水層で構成され、事前にヒートシールカーディング層の不織布材料の表面にキトサンを吹きかけてパターンを印刷することによって、製造仕上げた生理用ナプキンのヒートシールカーディング層の織物にキチンを含ませ、消臭抗菌効果を大幅に向上させ、生理用ナプキンの消臭及び人体に接触する快適性を増加する。
【０００５】
上記研究をまとめると、従来技術はナプキンの快適性と機能性を向上させるために、すでに生理用ナプキンにおける通気層と防水層との間に、吸収性物品を除いた機能層を加えたが、従来技術に以下を含む欠点は残っていた：（１）該機能層は通気層と防水層との間に均一に分布し、ある位置の機能素子は使用できなくなるため、機能素子の浪費になる；（２）該機能層は薄層構造であり、搭載可能な機能素子は比較的に少ない；（３）該機能層は通気層と防水層との間に均一に分布するため、生理用ナプキンの吸収能力や通気性を影響する。それにより大量な機能素子を搭載できる上、機能素子の廃棄と浪費はない通気構造を如何なる開発するかは、本考案がここで解決しようとする重要な課題になる。    
【考案の概要】
【考案が解決しようとする課題】
【０００６】
上記問題及び欠点に関し、考案者は慎重に考え、蓄積した長年の経験を持ち、長い研究やアイデアの後、本考案を開示し、目的は一部分に防水容器が連結される通気構造を提供し、防水容器の開口の周辺を通気構造と直接にシーリングにより連結し、防水容器の中に酸素供給ユニット、マイナス酸素イオン供給ユニット、香料など大量な機能素子が取り付けられ、皮膚における汗腺の発汗及び傷口の体液、血液の揮発などの水気や液体の活性化機能素子を利用し、小環境において酸素、マイナス酸素イオン、香りなどの機能を形成することである。
【課題を解決するための手段】
【０００７】
本考案の目的は一部分に防水容器が連結される通気構造を提供することであり、該通気構造の片側の一部分のエリアに少なくとも一つの防水容器が連結され、該防水容器の開口の周辺は通気構造とシーリングにより固定され、該防水容器の中に機能素子が取り付けられる。
【０００８】
考案の上記目的を達成するため、該機能素子は粉末、細粒、顆粒又は繊維状である。
【０００９】
考案の上記目的に達成するため、該通気構造に該防水容器と連結される片側は防水材質で覆われ、該防水材質に穴が設けられ、水気や液体は該穴から通り抜けることができ、該穴の数量は一つ又は複数である。
【００１０】
考案の上記目的に達成するため、該通気構造は生理用ナプキン、パンティーライナー、産褥パッド、おむつ、絆創膏、創傷被覆材、遮眼帯、耳掛け、マスク、安全帽子パッキングに使用可能である。
【００１１】
考案の上記目的に達成するため、該防水容器は通気構造が人体に接触し又は近寄る他の片側にある。
【００１２】
考案の上記目的に達成するため、該機能素子は酸素供給ユニット、マイナス酸素イオン供給ユニット及び香料からなるグループから選択される。
【００１３】
考案の上記目的に達成するため、該酸素供給ユニットは過酸化金属と超酸化金属からなるグループから選択され、該過酸化金属は過酸化マグネシウム、過酸化カルシウム、過酸化ナトリウム、過酸化カリウムと過酸化リチウムからなるグループから選択され、該超酸化金属は超酸化マグネシウム、超酸化カルシウム、超酸化ナトリウム、超酸化カリウム及び超酸化リチウムからなるグループから選択される。
【００１４】
考案の上記目的に達成するため、該酸素供給ユニットはペルオキシダーゼと併用することができ、該酸素供給ユニットと該ペルオキシダーゼとの比は５０：１〜１０００：１。
【００１５】
考案の上記目的に達成するため、該マイナス酸素イオン供給ユニットは電気石と併用し、過酸化金属と超酸化金属からなるグループから選択され、該過酸化金属は過酸化マグネシウム、過酸化カルシウム、過酸化ナトリウム、過酸化カリウムと過酸化リチウムからなるグループから選択され、該超酸化金属は超酸化マグネシウム、超酸化カルシウム、超酸化ナトリウム、超酸化カリウム及び超酸化リチウムからなるグループから選択される。
【図面の簡単な説明】
【００１６】
【図１】図１は一部分に防水容器が連結される通気構造を示す平面図であって、防水容器の開口の周辺は通気構造とシーリングにより連結され、平面図は通気構造に防水容器がある片側を示す。
【図２】図２は一部分に防水容器が連結される通気構造を示す平面図であって、防水容器の開口の周辺は通気構造とシーリングにより連結され、平面図は通気構造に防水容器がない片側を示す。
【図３】図３は生理用ナプキンを防水容器と連結することを示す平面図であって、該生理用ナプキンの背面にある防水材質に穴が設けられる。
【図４】図４は生理用ナプキンを防水容器と連結することを示す平面図であって、該生理用ナプキンの背面にある防水材質に穴が設けられ、穴は防水容器で覆われる。
【図５】図５はマスクを防水容器と連結することを示す平面図であって、該マスクの外側に防水容器がシーリングにより連結される。
【図６】図６はマスクを複数の防水容器と連結することを示す平面図であって、該マスクの外側に複数の防水容器がシーリングにより連結される。
【考案を実施するための形態】
【００１７】
下記実施例で本考案を説明するが、本考案は下記実施例に限らない。
【００１８】
本考案は一部分に防水容器が連結される通気構造であって、第一図及び第二図に示すように、該通気材質（１）の片側における一部分のエリアに防水容器（３）が連結され、該防水容器の開口の周辺は通気材質（１）とシーリング（２）により固定され、該防水容器（３）の中に機能素子が配置され、機能放出位置（４）は該通気材質（１）に防水容器（３）がない片側にあり、該通気構造（１）は生理用ナプキン、パンティーライナー、産褥パッド、おむつ、絆創膏、創傷被覆材、遮眼帯、耳掛け、マスク、安全帽子パッキングに応用でき、使用する際には該通気構造（１）の機能放出位置（４）を人体に接触し又は近寄る片側に置く。
【００１９】
実施例1
【００２０】
酸素供給機能を有する生理用ナプキン
【００２１】
２Ｋ２Ｏ２＋２Ｈ２Ｏa４ＫＯＨ＋２Ｈ２Ｏ２
２Ｈ２Ｏ２a２Ｈ２Ｏ＋Ｏ２
【００２２】
酸素供給機能を有する生理用ナプキンの応用は第三図及び第四図に示すように、生理用ナプキン（５）は人体に近寄る内層から外層へ通気材質、吸水材質、防水材質（６）及び少なくとも一つの防水容器（３）を含み、該防水材質（６）は防水容器（３）で覆われる部位に穴（７）が設けられ、水気や液体は穴から通り抜け、該防水容器に過酸化金属などの酸素供給ユニットが取り付けられる。生理用ナプキンが経血を吸収した後、中にある水気や液体は防水材質（６）における穴（７）により放出され防水容器（３）に入り、防水容器にある過酸化カリウム（Ｋ２Ｏ２）などの過酸化金属は水（Ｈ２Ｏ）に遭うと水酸化カリウム（ＫＯＨ）と過酸化水素（Ｈ２Ｏ２）を生成し、過酸化水素は更に水と酸素（Ｏ２）を生成し、酸素は通気構造で放出され、それで生理用ナプキンの小環境における酸素の含有量を増加し、嫌気性菌は生成しにくくなる。
【００２３】
実施例2
【００２４】
香りがよいパンティーライナー
【００２５】
香りがよいパンティーライナーの応用であって、パンティーライナーは人体に近寄る内層から外層へ通気材質、吸水材質、防水材質及び少なくとも一つの防水容器を含み、該防水材質は防水容器で覆われる部位に穴が設けられ、水気や液体は穴から通り抜け、該防水容器にミントなどの香料が詰められ、パンティーライナーが人体の血液、分泌物などを吸収する際には、中にある水気や液体は防水材質における穴から防水容器に入り、ミントなどの香料の香りを機能放出位置から放出させ、パンティーライナーの小環境における香りはよくなり、使用中の快適性を増加する。
【００２６】
実施例3
【００２７】
高速な酸素供給機能を有する絆創膏
【００２８】
２ＮａＯ２＋４Ｈ２Ｏa２ＮａＯＨ＋３Ｈ２Ｏ２
【化１】
0003211010.tif 000003
【００２９】
高速な酸素供給機能を有する絆創膏の応用であって、絆創膏は通気構造を含み、人体に近寄り又は接触する片側は内側で、絆創膏の外側にシーリングにより少なくとも一つの防水容器は固定され、該防水容器に超酸化金属などの酸素供給ユニットとカタラーゼが詰められ、過酸化金属とペルオキシダーゼの実行可能な比は５０：１〜１０００：１で、酸素供給ユニットとペルオキシダーゼとの最適な比は１００：１〜５００：１であり、絆創膏が人体の血液、分泌物などを吸収する際には、中にある水気や液体は通気材質により防水容器に入り、超酸化ナトリウム（ＮａＯ２）などの超酸化金属は水に遭うと水酸化ナトリウム（ＮａＯＨ）と過酸化水素を生成し、カタラーゼは過酸化水素を高速に水と酸素を生成させ、酸素は絆創膏の内側における機能放出位置から放出され、絆創膏の小環境における酸素の含有量を増加し、嫌気性菌は生成しにくくなる。
【００３０】
実施例4
【００３１】
マイナス酸素イオン供給機能を有するマスク
【００３２】
２ＣａＯ２＋２Ｈ２Ｏa２Ｃａ（ＯＨ２）＋Ｏ２
ｅ−＋Ｏ２aＯ２−
【００３３】
マイナス酸素イオン供給機能を有するマスクの応用は第五図に示すように、マスク（８）は通気構造を含み、人体に近寄り又は接触する片側は内側で、マスクの外側にシーリング（２）により防水容器（３）が固定され、防水容器は電気石などのマイナス酸素イオン材料と過酸化金属が詰められ、マスクにある水気が通気材質から防水容器に入る際には、過酸化カルシウムなどの過酸化金属は水に遭うと水酸化カルシウムと酸素を生成し、電気石は負の電荷を生成してマスクにおける酸素と反応してマイナス酸素イオンを生成し、マスクの小環境におけるマイナス酸素イオンの濃度を増加する。
【００３４】
実施例5
【００３５】
マイナス酸素イオン供給機能を有するマスク
【００３６】
２ＫＯ２＋２Ｈ２Ｏa２ＫＯＨ＋Ｈ２Ｏ２＋Ｏ２
ｅ−＋Ｏ２aＯ２−
【００３７】
マスクが複数のマイナス酸素イオン供給ユニットを含む防水容器と連結される応用は第六図に示すように、マスク（８）は通気構造を含み、人体に近寄り又は接触する片側は内側で、マスクの外側にシーリング（２）により複数の防水容器（３）が固定され、防水容器に電気石などのマイナス酸素イオン材料と超酸化金属が詰められ、マスクの内側にある水気が通気材質から防水容器に入る際には、超酸化カリウムなどの超酸化金属は水に遭うと水酸化カリウムと酸素を生成し、電気石は負の電荷を生成してマスクにおける酸素と反応してマイナス酸素イオンを生成し、マスクの小環境におけるマイナス酸素イオンの濃度を増加する。
【００３８】
本考案は一部分に防水容器が連結される通気構造を提供し、防水容器の開口の周辺を通気構造と直接にシーリングにより固定し、そうすると防水容器が別のフィルタを準備してシーリングする必要はなくなり、通気構造が防水容器を収納するために別の穴を開ける必要もなく、それで材料を効果的に利用でき浪費はなく、防水容器は一部分の通気構造だけに配置されるから、使用されない機能素子の浪費を削減することができる；防水容器は通気構造本体の中に配置されるわけではなく、需要によって防水容器の厚さや深さを調節することができ、それにより比較的多い機能素子を配置できる；通気構造は一部分のエリアだけに防水容器が連結されていることで、通気構造の通気性を増加できる。本考案は材料を考慮して効果的に利用し、より多い機能素子を搭載し、通気性を増加することによって従来技術が解決できない問題を解決することができる。
【００３９】
上記詳細な説明は本考案に対する実行可能な実施例に関する具体的な説明で、ところが本考案の請求範囲は該実施例に限らなく、本考案の技術精神から離れない同効果の実施又は変更は全部本考案の請求範囲に属するべきである。
【００４０】
上記複数の効果は、新規性及び進歩性に十分合う法定的な考案要件であるため、法律によって申請を出願し、考案を奨励するために、貴局が本考案の請求範囲を審査の上許可することを懇請しております。
【符号の説明】
【００４１】
1  通気材質
2  シーリング
3  防水容器
4  機能放出位置
5  生理用ナプキン
6  防水材質
7  穴
8  マスク
【図１】
0003211010.tif 000004
【図２】
0003211010.tif 000005
【図３】
0003211010.tif 000006
【図４】
0003211010.tif 000007
【図５】
0003211010.tif 000008
【図６】
0003211010.tif 000009